(57)【特許請求の範囲】
【請求項１】
泡水溶液をデフレクタに衝突させて発泡させる泡スプリンクラヘッドにおいて、前記デフレクタの泡水溶液の衝突部に複数の起泡突起が設けられ、上記起泡突起は、平板状の該衝突部を切って起立させたツメであり、前記衝突部には、該ツメを起立させたときに生じた貫通穴が設けられていることを特徴とする泡スプリンクラヘッドのデフレクタ。
【発明の詳細な説明】
【０００１】
【発明の属する技術分野】
この発明は、泡スプリンクラヘッドに関するもので、更に述べると、泡水溶液、即ち、水成膜泡消火薬剤と水との混合液、を発泡散布させる泡スプリンクラヘッドのデフレクタに関するものである。
【０００２】
【従来の技術】
従来の泡スプリンクラヘッドでは、泡消火薬剤と水とを混合した泡水溶液を、デフレクタに衝突させることにより発泡させている。このデフレクタは平板状の衝突部と、その外周に形成され、かつ、スリットを有する案内部と、から構成されている。
【０００３】
【発明が解決しようとする課題】
従来例の泡スプリンクラヘッドでは、発泡倍率が３倍程度であるため、あまり泡立たず液滴の状態で飛散する。そのため、泡状で飛散する場合に比べ大幅にその飛距離が伸び、消火範囲を拡張することができる。
しかし、この泡スプリンクラヘッドでは、前述のように、発泡性能が不十分であるため、消火性能に問題がある。
例えば、油火災の場合、油面上に水成膜が形成されその上に泡が敷き詰められて二重にシ−ルされ、炎に対する空気の供給が完全に遮断されて、いわるゆる窒息消火となるが、発泡性能が良くないと、隣合う泡同士間に隙間が発生し、水成膜が陥没したり破損したりすると、泡間の隙間を通って炎に空気が供給される様になる。そのため、窒息消火を効果的に行うことができなくなることがあり、消火性能は必ずしも良くない。
【０００４】
本発明は、上記事情に鑑み、発泡性能を高め、消火性能を向上させることを目的とする。
【０００５】
この発明は、泡水溶液をデフレクタに衝突させて発泡させる泡スプリンクラヘッドにおいて、前記デフレクタの泡水溶液の衝突部に複数の起泡突起が設けられ、上記起泡突起は、平板状の該衝突部を切って起立させたツメであり、前記衝突部には、該ツメを起立させたときに生じた貫通穴が設けられていることを特徴とする。
【０００６】
【発明の実施の形態】
本発明者は、従来の泡スプリンクラヘッドの発泡倍率が良くないのは、デフレクタに原因がある、と考えた。即ち、単に泡水溶液をデフテクタの平板状衝突部に衝突させるのでは、十分に空気を取り込むことができないので、発泡倍率が良くない、と考えたのである。
そこで、デフレクタの衝突部に複数の起泡突起を設け、上記起泡突起は、平板状の該衝突部を切って起立させたツメとし、前記衝突部に、該ツメを起立させたときに生じた貫通穴を設けることにより、該泡突起に泡水溶液を衝突させて空気を十分に取り込ませ発泡を促進させることにした。
【０００７】
【実施例】
この発明の第１実施例を図１〜図３により説明する。
消火配管１には、混合器２と、泡スプリンクラヘッド、例えば、水溶液噴霧ヘッド５とが連結されている。
この混合器２は、図示しない水槽などの給水源と、水成膜泡消火薬剤専用の原液タンク３と、に接続されている。この混合器２は、給水源から供給される消火用水Ｗと、原液タンク３から供給される水成膜泡消火薬剤Ｇと、を混合して泡水溶液Ｍを形成する。
この泡水溶液Ｍは、３％の水成膜泡消火薬剤Ｇが含まれ様に調節されており、いわゆる混合比は、３％である。
【０００８】
この水成膜泡消火薬剤Ｇはフッ素系界面活性剤を主成分とする水溶性液体用の泡消火薬剤であり、泡と水成膜の両者の空気遮断作用により消火を行う。
【０００９】
この水成膜消火薬剤Ｇは、種々開発されているが、例えば、ライトウオ−タ（商品名  米国  スリ−エム社ほか）、メガフォ−ム  Ｆ−６２３（商品名  大日本イン株式会社）などがある。これらの泡消火薬剤はフッ素系界面活性剤の他、気泡安定剤、水溶性高分子、凍結抑止剤などからなり、淡白泡消火薬剤や界面泡消火薬剤に比べ３〜４倍の消火効果を発揮する。
【００１０】
泡水溶液噴霧ヘッド５は、混合器２の下流側に配設されている。このヘッド５は、閉鎖型泡水溶液噴霧ヘッドであり、泡水溶液の放出口６を開閉する弁体７と、該弁体７を放出口６に押しつける熱容量の小さい速動型の火災感知作動部１０と、ア−ム１１に固定されたデフレクタ１２と、を備えている。
【００１１】
弁体７は、パッキン１４を介して放出口６に圧接されている。
火災感知作動部１０は、固定部材１５に支持されたガラス管１６と、該ガラス管１６に封入されたアルコ−ル１７と、からなるグラスバルブである。
【００１２】
デフレクタ１２は、円形平板であり、その中央の衝突部１２Ａの外周部には複数のスリット１９が形成されている。この衝突部１２Ａには、複数の起泡突起２１が設けられている。この起泡突起２１は、平板衝突部１２Ａを切って起立させた、おろし金状のツメ２１である。なお、２４はスリット１９を有する案内部、ＨＬはツメ２１を起立させたときに生じた穴、即ち、貫通穴、をそれぞれ示す。この貫通穴ＨＬは空気を吸い込みやすくするためのものである。
【００１３】
次に、本実施例の作動について説明する。
火災が発生すると、泡水溶液噴霧ヘッド５のガラス管１６内のアルコ−ル１７が熱により膨脹し、ガラス管１６が破裂する。そのため、火災感知動作部１０は弁体支持機能を喪失するので、弁体７は開放される。
【００１４】
弁体７が開放されると、該混合比３％の泡水溶液Ｍが該ヘッド５の放出口６から噴出される。噴出された泡水溶液Ｗは、デフレクタ１２の衝突部１２Ａの起泡突起２１に衝突して穴ＨＬなどから空気を取り込み発泡するとともに、その泡Ｂは案内部２４に案内されながら炎に向かって飛散する。炎は水成膜及びその上に敷き詰められる細かい泡により二重にシ−ルされるため、空気の供給が断たれ、窒息消火する。
【００１５】
本発明の第２実施例を図４により説明する。この実施例と前記実施例との相違点は、デフレクタ１２が長方形状であること及び衝突部２０の起泡突起３１が円錐状であること、である。なお、この起泡突起の形状や設置個数などは必要に応じて適宜選択され、例えば、三角錐の起泡突起としてもよい。
この場合には、泡水溶液Ｗの流水にこの起泡突起により乱れが生じ、そこで泡水溶液Ｗは空気を取り込み発砲する。
【００１６】
【発明の効果】
この発明は、以上のようにデフレクタの衝突部に複数の起泡突起を設け、上記起泡突起は、平板状の該衝突部を切って起立させたツメとし、前記衝突部に、該ツメを起立させたときに生じた貫通穴を設けたので、ヘッドの放出口から噴出された泡水溶液は、デフレクタの衝突部の起泡突起に衝突して貫通穴などから空気を取り込み発泡する。そのため、発泡性能が飛躍的に向上するので、従来例に比べ消火性能を向上させることができる。
【図面の簡単な説明】
【図１】本発明の第１実施例を示す正面図である。
【図２】泡水溶液噴霧ヘッドの拡大断面図である。
【図３】デフレクタの拡大斜視図である。
【図４】本発明の第２実施例を示す平面図である。
【符号の説明】
１２  デフレクタ
１２Ａ衝突部
２１  起泡突起
３１  起泡突起
【図１】
0003885144.tif 000002
【図２】
0003885144.tif 000003
【図３】
0003885144.tif 000004
【図４】
0003885144.tif 000005